(57)【要約】      （修正有）【課題】簡単な構造で、しかも腕力のない年少者でも容易に冷菓を作ることができる冷菓作成玩具を提供すること。【解決手段】冷却容器１と、該冷却容器１の内部に回転且つ着脱自在に配置された冷菓作成容器２とを備え、上記冷却容器１の着脱自在な蓋体７の中央には上記冷菓作成容器２の上面中央に係合する係合部２４が回転可能に配置され、上記冷却容器１の内部底面中央には上記冷菓作成容器２の底面中央に係合する係合凸部４を設け、上記蓋体７には外部から上記係合部２４を回転させる回転機構Ａを設け、該回転機構Ａをフライホイール２７と、該フライホイール２７の支軸と同軸のプーリー２５と、該プーリー２５に巻き回される紐体３０とで構成し、上記プーリー２５及びフライホイール２７を上記紐体３０の引き操作で回転させ、係合部２４材を介して上記冷菓作成容器２を上記冷却容器１内で回転するようにした。【選択図】図４
0003109429.tif 000002
【実用新案登録請求の範囲】
【請求項１】
冷却容器と、該冷却容器の内部に回転且つ着脱自在に配置された冷菓作成容器とを備えるとともに、以下の要件を備えることを特徴とする冷菓作成玩具。
（イ）上記冷却容器の着脱自在な蓋体の下面中央には上記冷菓作成容器の上面中央に係合する係合部材が回転可能に配置され、上記冷却容器の内部底面中央には上記冷菓作成容器の底面中央に係合する係合凸部を設けたこと
（ロ）上記蓋体には上記係合部材を回転させる回転機構を設け、該回転機構は外部から回転操作可能であること
（ハ）上記回転機構はフライホイールと、該フライホイールの支軸と同軸のプーリーと、該プーリーに巻き回される紐体とで構成され、上記軸体の下端には上記係合部材を設けたこと
（ニ）上記プーリー及びフライホイールは上記紐体の引き操作で回転し、上記冷菓作成容器は上記係合部材を介して冷却容器内で回転すること
【考案の詳細な説明】
【技術分野】
【０００１】
本考案は、冷菓作成玩具、詳しくは紐を引き操作して冷却材を収容した容器の中の冷菓作成容器を回転させ、冷菓作成容器内に冷菓を作成する冷菓作成玩具に関するものである。
【背景技術】
【０００２】
従来、電気などを必要とせずに冷菓を簡単に作成する方法として簡易型の冷却冷凍器が提案されている（例えば、特許文献１）。
【０００３】
この冷却冷凍器は、容器本体の蓋を開いた後に被冷却物収容部の蓋を開き、被冷却物収容部にミルク等の被冷却物を収容した後、再び被冷却物収容部の蓋、及び容器本体の蓋を閉じ、容器本体の外側に設けたハンドルを把持して容器本体を振ることにより短時間のうちに被冷却物を冷却あるいは冷凍することができるようにしたものである。
【特許文献１】実用新案登録第３１０２５７０号公報
【考案の開示】
【考案が解決しようとする課題】
【０００４】
本考案が解決しようとする問題点は、上述の簡易冷却冷凍器は機械的な構造を全く必要とせずハンドルを持って容器を振るだけの簡単な操作で冷菓を作ることができるが、冷却材と被冷却物とが収容された容器を数分を振る必要があり、年少者にはたとえ数分であっても容器を持続して振ることは難しい点であった。
【０００５】
本考案は、上記問題点を解決し、簡単な構造で、しかも腕力のない年少者でも容易に冷菓を作ることができる冷菓作成玩具を提供することを課題とする。
【課題を解決するための手段】
【０００６】
前記課題を解決するために本考案に係る冷菓作成玩具は、冷却容器と、該冷却容器の内部に回転且つ着脱自在に配置された冷菓作成容器とを備えるとともに、以下の要件を備えることを特徴とする。
（イ）上記冷却容器の着脱自在な蓋体の下面中央には上記冷菓作成容器の上面中央に係合する係合部材が回転可能に配置され、上記冷却容器の内部底面中央には上記冷菓作成容器の底面中央に係合する係合凸部を設けたこと
（ロ）上記蓋体には上記係合部材を回転させる回転機構を設け、該回転機構は外部から回転操作可能であること
（ハ）上記回転機構はフライホイールと、該フライホイールの支軸と同軸のプーリーと、該プーリーに巻き回される紐体とで構成され、上記軸体の下端には上記係合部材を設けたこと
（ニ）上記プーリー及びフライホイールは上記紐体の引き操作で回転し、上記冷菓作成容器は上記係合部材を介して冷却容器内で回転すること
【考案の効果】
【０００７】
本考案によれば、冷菓の材料を入れた冷菓作成容器を紐体の引き操作により冷却容器内で繰り返し回転させることにより、紐体の引き操作という簡単な作業で短時間に冷菓を作成することができる。しかも、紐体を引き操作するという簡単な操作なので腕力を必要とせず、年少者にも冷菓を作成する楽しさを味わうことのできる冷菓作成玩具を提供することができる。
【考案を実施するための最良の形態】
【０００８】
冷菓作成玩具は冷却容器と、該冷却容器の内部に回転且つ着脱自在に配置された冷菓作成容器とを備え、上記冷却容器の着脱自在な蓋体の中央には上記冷菓作成容器の上面中央に係合する係合部材が回転可能に配置され、上記冷却容器の内部底面中央には上記冷菓作成容器の底面中央に係合する係合凸部を設け、上記蓋体には外部から上記係合部材を回転させる回転機構を設け、該回転機構をフライホイールと、該フライホイールの支軸と同軸のプーリーと、該プーリーに巻き回される紐体とで構成し、上記プーリー及びフライホイールは上記紐体の引き操作で回転し、係合部材を介して上記冷菓作成容器を上記冷却容器内で回転するようにした。
【実施例１】
【０００９】
図１は、本考案に係る冷菓作成玩具の一例を示し、この冷菓作成玩具は氷、水、塩からなる冷却材を収容する冷却容器１と、この冷却容器１内に、冷菓であるゼリーやアイスクリームなどの原料を入れた冷菓作成容器２を配置し、この冷菓作成容器２を冷却容器１の外部から繰り返し回転させることにより、冷菓作成容器２内にゼリーやアイスクリームなどの冷菓を作成することができるようにしたものである。
【００１０】
冷却容器１は、透明な樹脂で形成された容器で、台座３上に固定され、内側底部には略円錐状の係合凸部４が形成され、上部開口部の外側面には係合縁部５が周設され、内部に冷菓作成容器２をセットし、支持蓋６を閉じ、さらに蓋体７を閉じて蓋体７の側面に配置されたフック８を上記係合縁部５に掛けることにより、蓋体７を冷却容器１に固定することができるようになっている。
【００１１】
冷菓作成容器２は透明な樹脂またはアルミニウムなどの熱伝導性を有する金属などで形成された容器１０と蓋部材１１とで構成され、容器１０の底部中央は上記係合凸部４に係合する係合凹部１２が内方に膨出して形成されている。この容器１０の上部開口面を塞ぐ蓋部材１１はドーム状に形成され、この蓋部材１１の上面には十字状の係合凹部１３が形成され、側面にはキャップ１４付きの飲み口１５が形成されている。この飲み口１５は、容器１０に蓋部材１１を取り付けた状態で飲み口１５にストローを差し込み、ストローで容器１０内の冷菓を食することができるようになっている。
【００１２】
上記十字状の係合凹部１３は後述する回転機構Ａに連係し、回転機構Ａが作動すると係合凸部４に係合凹部１３が係合した状態で係合凸部４を中心に冷菓作成容器２は水平方向に回転させられるようになっている。
【００１３】
支持蓋６は冷却容器１内にセットした冷菓作成容器２を上から支持するためのもので、中央には上下に貫通した円形の貫通孔１６が形成されるとともに、裏面の貫通孔１６の外側には円形の係合縁１７が周設され（図４参照）、この係合縁１７は冷却容器１内にセットされた冷菓作成容器２の蓋部材１１の上面に係合し、冷菓作成容器２を垂直且つ回転可能に支持することができるようになっている。
【００１４】
蓋体７は、側面に等間隔に配置されたフック８を冷却容器１の係合縁部５に掛けることにより、上記支持蓋６の上に固定するとともに、冷菓作成容器２を支持蓋６で保持した状態で蓋体７を冷却容器１に固定することができるようになっている。
【００１５】
この蓋体７の内部には駆動機構Ａが配置され、底板２０を蓋体７にネジ止めすることにより駆動機構Ａを作動可能に支持している。底板２０の底面中央には、先端が十字状の係合部２４が回転自在に配置され突出している。この係合部２４は蓋体７の内部に配置された駆動機構Ａを作動させることにより回転するもので、蓋体７を閉じた状態では、支持蓋６の中央に形成された貫通孔１６を貫通し、冷菓作成容器２の上面に形成された十字状の係合凹部１３に係合するようになっている。
【００１６】
蓋体７の内部に配置された駆動機構Ａはプーリー２５とプーリー２５の回転軸２６と同軸上に固定されたフライホイール２７とで構成され、上記回転軸２６の下端には上述した係合部２４が固定され、上端には回転操作盤２８が固定され、プーリー２５、フライホイール２７及び回転操作盤２８は底板２０と支持板２９で回転軸２６が支持され一体で回転するようになっている。
【００１７】
なお、回転操作盤２８は蓋体７の上面に形成された円形の開口部７ａから上方に露出し、上面に形成された凹部からなる手掛かり２８ａに指先を掛けて手回しでプーリー２５を回転させることができるようになっている。
【００１８】
プーリー２５は周面に凹溝２５ａが周設され、凹溝２５ａの底には紐体３０の一端が固定され、回転操作盤２８を手回しすることによりプーリー２５の凹溝２５ａに紐体３０を巻きつけることができるようになっている。
【００１９】
この紐体３０の他端にはグリップ３１が取り付けられ、紐体３０をプーリー２５に巻きつけた状態でグリップ３１を引き操作すれば、プーリー２５を回転させることができるようになっている。プーリー２５が回転すると同軸上のフライホイール２７も回転し、係合部２４を介して冷菓作成容器２も回転させることができるようになっている。
【００２０】
上記フライホイール２７は慣性で回転して紐体３０を再びプーリー２５に巻き取るので、巻き取られた紐体３０を再び引き操作すれば、プーリー２５は逆方向に回転し、フライホイール２７も逆方向に回転させることができ、係合部２４を介して冷菓作成容器２も逆方向に回転させることになり、あたかもヨーヨーと同じように紐体３０の引き操作をタイミングよく行なえば、冷菓作成容器２を繰り返し高速で正逆回転させることができる。
【００２１】
上記構成の冷菓作成玩具を使用して冷菓を作成する場合は、先ず冷菓作成容器２の中に冷菓の原料を入れ、キャップ１４で飲み口１５をしっかり塞いだ蓋部材１１で容器１０を蓋したのち、冷菓作成容器２を冷却容器１内にセットする。この時、冷菓作成容器２の底面の係合凹部１２を冷却容器１の係合凸部４に係合させた状態でセットする。
【００２２】
次に、冷却容器１の中に水、塩及び氷からなる冷却材を入れ、冷菓作成容器２が冷却材に浸かる状態にする。次に、支持蓋６を冷却容器１に取り付ける。この時、冷菓作成容器２が垂直状態で支持蓋６の貫通孔１６から冷菓作成容器２の蓋部材１１の上面に形成された係合凹部１３が見えるように取り付ける。
【００２３】
支持蓋６を取り付けたら、蓋体７を支持蓋６の上に被せ、フック８を下ろして冷却容器１の係合縁部５に係合させ、蓋体７を冷却容器１に固定する。この状態では、冷菓作成容器２は容器１０が冷却材に浸かった状態で、係合凸部４と係合部２４とに支持されて冷却容器１内で水平方向に回転できる状態になっている。
【００２４】
次に、回転操作盤２８を手で回転させて、紐体３０をプーリー２５に巻きつける。紐体３０をプーリー２５に充分巻きつけたらグリップ３１を摘んで紐体３０を一気に引き操作する。紐体３０を引き操作すると、プーリー２５は強制的に回転させられるが、このプーリー２５と同軸のフライホイール２７が回転するとともに冷菓作成容器２が冷却容器１内で回転する。フライホイール２７の慣性で回転は持続し、紐体３０は再びプーリー２５に巻き取られる。巻き取られている途中で、紐体３０を引き操作するとプーリー２５は逆回転し、回転軸２６も逆回転するので冷菓作成容器２も逆回転し、冷菓作成容器２の正逆回転を繰り返し行なうことができる。
【００２５】
冷菓作成容器２を繰り返し回転させた後、紐体３０の引き操作を止めれば冷菓作成容器２は停止するので、この停止状態を冷却容器１の外から確認後、フック８を外して蓋体７の係止を解除し、蓋体７、支持蓋６を取り外し、冷却容器１の中から冷菓作成容器２を取り出す。
【００２６】
取り出した冷菓作成容器２の内部には冷菓ができているので、キャップ１４を外して飲み口１５からストローを差し込んで、中身の冷菓を直接飲んでもよいし、蓋部材１１を外して容器１０の冷菓を他の器に移して食してもよいし、容器１０から直接冷菓を食してもよい。
【００２７】
なお、冷菓作成容器２は本実施例では、中身が見えるように容器１０を透明な樹脂で形成したが、アルミニウムなどの熱伝導率の高い金属で形成してもよい。
【図面の簡単な説明】
【００２８】
【図１】本考案に係る冷菓作成玩具の斜視図
【図２】上記冷菓作成玩具を構成する構成部材を説明する斜視図
【図３】上記冷菓作成玩具の構成を説明する分解斜視図
【図４】上記冷菓作成玩具の断面図
【符号の説明】
【００２９】
１    冷却容器
２    冷菓作成容器
４    係合凸部
７    蓋体
２４    係合部
２５    プーリー
２７    フライホイール
３０    紐体
Ａ    駆動機構
【図１】
0003109429.tif 000003
【図２】
0003109429.tif 000004
【図３】
0003109429.tif 000005
【図４】
0003109429.tif 000006